(57)【要約】【目的】本発明の目的は、前記容器本体及び／又は蓋体に表されるデザイン的な内容を変更することができる新規な容器を提供することにある。【構成】容器Ａは、開口１１を有する容器本体１０と、この容器本体１０に取り付けられ、開口１１を閉塞する蓋体２０とを有する弁当箱である。この容器Ａは、蓋体２０の表面となるべきパーツ部材３０が交換可能になっている。【選択図】      図２
2005008211.tif 000002
【特許請求の範囲】
【請求項１】
開口を有する容器本体と、この容器本体に取り付けられ、前記開口を閉塞する蓋体とを有する容器において、容器本体及び／又は蓋体の装飾的なデザインの内容を施すための部分が交換可能になっていることを特徴とする容器。
【請求項２】
請求項１記載の容器において、交換可能な部分は、容器本体の外表面及び／又は蓋体の表面の少なくとも一部をなすシート部材及び／又はパーツ部材であることを特徴とする容器。
【請求項３】
請求項２記載の容器において、前記シート部材及び／又はパーツ部材の裏面が装飾的なデザインの内容が施される場となっており、容器本体及び／又は蓋体は、前記シート部材及び／又はパーツ部材の裏面と対向する部分が少なくとも透明になっていることを特徴とする容器。
【請求項４】
請求項２又は３記載の容器において、パーツ部材と容器本体の外表面及び／又は蓋体の表面との間には写真又はこれに類するシートを入れるための隙間が設けられており、少なくとも前記パーツ部材の一部が前記隙間に入れられたシートが見えるように透明にされていることを特徴とする容器。
【請求項５】
請求項１記載の容器において、交換可能な部分は、容器本体の内表面及び／又は蓋体の裏面の少なくとも一部をなすシート部材及び／又はパーツ部材であることを特徴とする容器。
【請求項６】
請求項５記載の容器において、前記シート部材及び／又はパーツ部材の表面が装飾的なデザインの内容が施される場となっており、容器本体及び／又は蓋体は、前記シート部材及び／又はパーツ部材の表面と対向する部分が少なくとも透明になっていることを特徴とする容器。
【請求項７】
請求項５記載の容器において、前記パーツ部材と容器本体の内表面及び／又は蓋体の裏面との間には写真又はこれに類するシートを入れるための隙間が設けられており、少なくとも容器本体及び／又は蓋体の一部が前記隙間に入れられたシートが見えるように透明にされていることを特徴とする容器。
【請求項８】
請求項２、３、４、５、６又は７記載の容器において、容器本体及び／又は蓋体が装飾的なデザインの内容を表すための場となっていることを特徴とする容器。
【発明の詳細な説明】
【０００１】
【発明の属する技術分野】
本発明は弁当箱等の容器に関する。
【０００２】
【従来の技術】
従来、この種の容器としては、ご飯やおかずが詰め込まれる容器本体と、この容器本体に取り付けられる蓋体とからなる弁当箱がある。この弁当箱の容器本体及び／又は蓋体には、絵、図柄及び／又は模様等の装飾的なデザインの内容が描かれている（  特許文献１参照）  。
【０００３】
【特許文献１】
特開２００２−３６０３２８
【０００４】
【発明が解決しようとする課題】
しかしながら、従来の弁当箱は、装飾的なデザインの内容が前記容器本体及び／又は蓋体に直接描かれているため、この内容を変更することができない。よって、使用者が装飾的なデザインの内容に飽きた場合には、弁当箱を買い換える必要があった。
【０００５】
本発明は、上記事情に鑑みて創案されたものであって、その目的とするところは、前記容器本体及び／又は蓋体に表される装飾的なデザインの内容を変更することができる新規な容器を提供することにある。
【０００６】
【課題を解決するための手段】
上記課題を解決するために、本発明は、開口を有する容器本体と、この容器本体に取り付けられ、前記開口を閉塞する蓋体とを有する容器であって、容器本体及び／又は蓋体の装飾的なデザインの内容を施すための部分が交換可能になっている。
【０００７】
交換可能な部分は、容器本体の外表面及び／又は蓋体の表面の少なくとも一部をなすシート部材及び／又はパーツ部材である。この場合、前記シート部材及び／又はパーツ部材の裏面が装飾的なデザインの内容を施す場となっている一方、容器本体及び／又は蓋体の前記シート部材及び／又はパーツ部材の裏面と対向する部分を少なくとも透明にしておけば、容器本体の外表面及び／又は蓋体の表面だけでなく、容器本体の内表面及び／又は蓋体の裏面にも装飾的なデザインの内容が表すことができる。
【０００８】
或いは、パーツ部材と容器本体の外表面及び／又は蓋体の表面との間に写真又はこれに類するシートを入れるための隙間が設け、少なくとも前記パーツ部材の一部を前記隙間に入れられたシートが見えるように透明にすれば、容器本体の外表面及び／又は蓋体の表面に使用者の好みの装飾的なデザインの内容を表すことができる。
【０００９】
交換可能な部分は容器本体の外表面及び／又は蓋体の裏面の少なくとも一部をなすシート部材及び／又はパーツ部材である。この場合、前記シート部材及び／又はパーツ部材の表面が装飾的なデザインの内容を施す場となっている一方、容器本体及び／又は蓋体の少なくとも容器本体及び／又は蓋体の前記シート部材及び／又はパーツ部材の表面と対向する部分を少なくとも透明にしておけば、容器本体の内表面及び／又は蓋体の裏面だけでなく、容器本体の外表面及び／又は蓋体の表面にも装飾的なデザインの内容を表すことができる。
【００１０】
或いは、前記パーツ部材と容器本体の内表面及び／又は蓋体の裏面との間に写真又はこれに類するシートを入れるための隙間が設け、少なくとも容器本体及び／又は蓋体の一部を前記隙間に入れられたシートが見えるように透明にすれば、容器本体の外表面及び／又は蓋体の表面に使用者の好みの装飾的なデザインの内容を表すことができる。
【００１１】
また、容器本体及び／又は蓋体に装飾的なデザインの内容を表しておけば、シート部材及び／又はパーツ部材に施された装飾的なデザインの内容や前記隙間に入れられる写真又はこれに類するシートと組み合わせた装飾的なデザインの内容を容器に表すことができる。
【００１２】
【発明の実施の形態】
以下、本発明の第１の実施の形態に係る容器を図面を参照しながら説明する。図１は本発明の第１の実施の形態に係る容器の図であって、（  ａ）  は概略的平面図、（  ｂ）  は概略的正面図、図２は同容器の概略的ａ−ａ断面図、図３は同容器の右半分を断面図で示した概略的右側面図、図４は図１中ｂ部分の概略的拡大図である。
【００１３】
図１に示す容器Ａは、開口１１を有する容器本体１０と、この容器本体１０に取り付けられ、開口１１を閉塞する蓋体２０とを有する弁当箱である。この容器Ａは、図２及び図３に示すように、蓋体２０の表面をなすパーツ部材３０が交換可能になっている。以下、各部を詳しく説明する。
【００１４】
容器本体１０は、ポリプロピレン等で成形された平面視略楕円形の樹脂製の成形品である。この容器本体１０は平面視略楕円形の開口１１を有する。なお、この容器本体１０は従来品とほぼ同様のものである。
【００１５】
蓋体２０はＡＳ等で成形された平面視略楕円形の樹脂製の成形品である。この蓋体２０の長さ方向に沿う両端部には、容器本体１０と係合する係合手段２１、２１が設けられている。また、蓋体２０の外周縁部には、断面視逆Ｌ字状の突出片が設けられている。この外周縁部の突出片の上側には、図４に示すように、複数の係合凸部２２（  図示１つ）  が設けられている。
【００１６】
パーツ部材３０は、蓋体２０の表面をなす部材であって、ＡＳ等で成形された平面視略楕円形の樹脂製の成形品である。このパーツ部材３０の表面上にはキャラクターのイラスト、模様や図柄等の装飾的なデザインの内容が施されている。
【００１７】
パーツ部材３０の外周縁部３１は、下方に向けて折れ曲がっている。この外周縁部３１の内側には複数の係合孔３２（  図示１つ）  が設けられている。従って、このパーツ部材３０を蓋体２０の表面に押しつけると、蓋体２０の係合凸部２２が係合孔３２に各々係合し、これによりパーツ部材３０が蓋体２０に取り付けられる。
【００１８】
また、パーツ部材３０の外周縁部の長さ方向両端部には、図３に示すように、切欠き部３２が設けられている。蓋体２０を保持した状態で、切欠き部３３に爪等を引っ掛け、パーツ部材３０を上方に押し上げることにより、パーツ部材３０を蓋体２０から容易に取り外すことができる。このようにしてパーツ部材３０と蓋体２０とは着脱可能にしている。
【００１９】
このように構成された容器Ａによる場合、パーツ部材３０を交換することで蓋体２０の装飾的なデザインの内容を簡単に変更することができる。
【００２０】
パーツ部材３０については、表面上に装飾的なデザインの内容が施されているとしたが、表裏面のいずれか一方のみ装飾的なデザインの内容が施されていれば良い。パーツ部材３０の裏面上に装飾的なデザインの内容を施した場合、蓋体２０のパーツ部材３０の裏面に対向する部分を透明にする。このように設計変形すれば、蓋体２０の表面だけでなく、裏面の装飾的なデザインの内容を変更することが可能になる。
【００２１】
以下、本発明の第２の実施の形態に係る容器を図面を参照しながら説明する。図５は本発明の第２の実施の形態に係る容器の蓋体の概略的断面図、図６は図５中ｃ部分の概略的拡大図である。
【００２２】
図５に示す容器Ｂは、容器Ａとほぼ同様のものである。異なるのは蓋体２０の表面に凹部２３が設けられており、この凹部２３にパーツ部材３０が嵌め込まれるようになっている点である。以下、この相違点について詳しく説明する。なお、符号については同じものを使用する。
【００２３】
蓋体２０は、平面視略楕円形の凹部２３が成形されており、この凹部２３の内周縁部には複数の係合凸部２２（  図示１つ）  が設けられている。
【００２４】
パーツ部材３０は蓋体２０の凹部２３よりも若干小さく成形された透明の樹脂成形品である。このパーツ部材３０の外周縁部３１は下方に向けて折れ曲がっている。この外周縁部３１の外側には、図６に示すように、複数の係合孔３２（  図示１つ）  が設けられている。パーツ部材３０が蓋体２０の凹部２３に嵌め込まれると、蓋体２０の係合凸部２２が係合孔３２に各々係合し、これによりパーツ部材３０が蓋体２０に取り付けられる。
【００２５】
また、パーツ部材３０が蓋体２０の凹部２３に嵌め込まれると、パーツ部材３０の外周縁部３１が凹部２３の底面（  即ち、蓋体２０の表面）  に当接し、これによりパーツ部材３０と蓋体２０の凹部２３の底面との間に写真又はこれに類するシートを入れることができる程度の隙間αが生じる。即ち、蓋体２０の凹部２３に予め写真やイラスト等を載置しておき、その後、パーツ部材３０を取り付ける。このようにして写真やイラスト等のシートを隙間αに入れる。
【００２６】
さらに、パーツ部材３０の外周縁部３１の上端部には、図６に示すように、外側に向けて凸部３３が設けられている。この凸部３３に爪等を引っ掛け、パーツ部材３０を上方に押し上げることにより、パーツ部材３０を蓋体２０から容易に取り外すことができる。
【００２７】
このように構成された容器Ｂによる場合、パーツ部材３０と蓋体２０の凹部２３の底面との間に隙間αが設けられているので、この隙間αに写真やイラスト等シートを入れることができる。即ち、写真やイラスト等のシートを交換することで簡単に装飾的なデザインの内容を簡単に変更することができる。また、使用者にとっては好みの写真やイラスト等のシートを隙間αに入れることにより、独自の装飾的なデザインの内容を容器Ｂに表すことができる。
【００２８】
蓋体２０の凹部２３については、写真やイラスト等のシートが載置される部分を透明にすることができる。このように設計変形した場合、蓋体２０の裏面側から写真やイラスト等のシートの装飾的なデザインの内容が見えるようにすることができる。従って、シートを２枚入れれば、蓋体２０の表裏面からシートの装飾的なデザインの内容を見ることができる。
【００２９】
以下、本発明の第３の実施の形態に係る容器について図面を参照しながら説明する。図７は本発明の第３の実施の形態に係る容器の蓋体の概略的断面図である。
【００３０】
図７に示す容器Ｃは、容器Ａとほぼ同様のものである。異なるのは蓋体２０の裏面をなすパーツ部材３０が交換可能になっている点にある。以下、その相違点について詳しく説明する。なお、符号については同じものを使用する。
【００３１】
蓋体２０は略楕円形の逆皿状の樹脂製の成形品である。この蓋体２０の下面の周縁部には下方に向けて円筒状の突出片２４が設けられている。この突出片２４の内側面には複数の係合凸部２２が設けられている。また、蓋体２０は図７の斜線で示す部分が透明になっている。
【００３２】
パーツ部材３０は蓋体２０の突出片２４に嵌まり込むように、突出片２４よりも若干小さい略楕円形の逆皿状に成形された樹脂製の成形品である。このパーツ部材３０の表面上には装飾的なデザインの内容が施されている。このパーツ部材３０の外周縁部３１は下方に向けて折れ曲がっており、この外周縁部３１の外側面に蓋体２０の係合凸部２２が係合される複数の係合孔３２が設けられている。
【００３３】
このパーツ部材３０が蓋体２０の突出片２４に嵌め込まれると、蓋体２０の透明な部分からパーツ部材３０の装飾的なデザインの内容が見ることができる。
【００３４】
このように構成された容器Ｃによる場合、パーツ部材３０を交換することで蓋体２０の装飾的なデザインの内容を簡単に変更することができる。
【００３５】
パーツ部材３０については、表面上に装飾的なデザインの内容が施されているとしたが、表裏面のいずれか一方のみ装飾的なデザインの内容が施されていれば良い。
【００３６】
また、蓋体２０の突出片２４の高さ寸法を高く設定すれば、蓋体２０の裏面とパーツ部材３０との間に写真又はそれに類するシートを入れるための隙間を設けることが可能になる。このように設計変形した場合、パーツ部材３０のシートが載置される部分を透明にすれば、蓋体２０の表裏面の装飾的なデザインの内容を変更することが可能になる。なお、蓋体２０、パーツ部材３０の双方が透明にされている必要はなく、いずれか一方が前記隙間に入れられたシートが見えるように透明にされていれば良い。
【００３７】
以下、本発明の第４の実施の形態に係る容器について図面を参照しながら説明する。図８は本発明の第４の実施の形態に係る容器の蓋体の概略的断面図である。
【００３８】
図８に示す容器Ｄは、容器Ａとほぼ同様のものである。異なるのはパーツ部材３０の代わりにシート部材４０が用いられている点である。以下、この相違点について詳しく説明する。なお、符号については同じものを使用する。
【００３９】
蓋体２０は樹脂製の成形品であって、従来品とほぼ同様のものである。
【００４０】
シート部材４０は、蓋体２０の表面に着脱可能に接着するシールである。このシート部材４０の面上にはキャラクターのイラスト、模様や図柄等の装飾的なデザインの内容が表されている。
【００４１】
このように構成された容器Ｄによる場合、シート部材４０を交換すれば、蓋体２０の表面の装飾的なデザインの内容を簡単に交換することができる。
【００４２】
シート部材４０については、ここでは蓋体２０の表面に接着させるとしたが、これに限定されることはなく、蓋体２０の裏面に接着させることも可能である。このように設計変形した場合、蓋体２０の裏面の装飾的なデザインの内容を簡単に交換することができる。
【００４３】
また、シート部材４０については、シールだけに限定されるものではなく、蓋体２０の表面又は裏面上に交換可能に接着するシート部材であればどのようなものを用いてもかまわない。例えば、表面上に装飾的なデザインの内容が施されたシート状の部材の裏面に粘着性の樹脂を塗布し、このシート部材を蓋体２０に接着させるようにすることができる。或いは、面上に装飾的なデザインの内容が施されたシート状の磁性体を用いる一方、蓋体２０に磁性体と互いに引き合う磁石を内蔵し、この磁性体を蓋体２０に取り付けるようにすることもできる。このような磁性体を用いる場合、磁性体の取付面に装飾的なデザインの内容を施すことが可能になる。従って、蓋体２０の取付面を透明にすれば、蓋体２０の表裏面の装飾的なデザインの内容を交換することが可能になる。
【００４４】
容器Ａ、Ｂ、Ｃ及びＤについては、容器本体１０及び／又は蓋体２０を装飾的なデザインの内容を表す場とすることができる。このように設計変形した場合、パーツ部材３０及び／又はシート部材４０に施された装飾的なデザインの内容やパーツ部材３０と蓋体２０の表裏面との間に設けられる隙間に入れられる写真又はこれに類するシートと組み合わせた装飾的なデザインの内容を容器に施すことができる。例えば、容器Ｃにおいて、蓋体２０に額縁の図柄を施す。そして隙間αに写真を入れれば、蓋体２０が写真立てのようなデザインとなる。
【００４５】
また、容器Ａ、Ｂ、Ｃ及びＤについては、蓋体の表裏面の少なくとも一部をなすシート部材及び／又はパーツ部材が交換可能になっているものである限り、どのような設計変形を行ってもかまわない。ここでは、交換可能なパーツ部材、シート部材は一つであるとしたが、蓋体に複数のパーツ部材、シート部材を交換可能に設けることも可能である。このように設計変形した場合、例えば、パズルのように組み合わせて蓋体を構成するようにすれば、子供に興味を与えることができる。もちろん、パーツ部材とシート部材とを組み合わせることも当然可能である。また、蓋体とパーツ部材との係合手段は任意であり、蓋体に係合孔を設ける一方、パーツ部材に係合凸部を設けることも当然可能である。
【００４６】
さらに、容器Ａ、Ｂ、Ｃ及びＤについては、蓋体の表裏面をなすシート部材又はパーツ部材が交換可能になっているとして説明したが、容器本体の内外表面なるシート部材又はパーツ部材が交換可能とすることも当然可能である。例えば、容器本体の側面の一部をパーツ部材として交換可能にすることができる。
【００４７】
なお、容器については、開口を有する容器本体と、この容器本体に取り付けられ、前記開口を閉塞する蓋体とを有する容器において、容器本体及び／又は蓋体の装飾的なデザインの内容を施すための部分が交換可能になっている限り、どのような設計変形をしてもかまわないことは言うまでもない。また、ここでは、弁当箱として説明したが、これに限定されることはなく、例えば、箸箱やスプーン、フォークケース等の容器に用いることも当然可能である。
【００４８】
【発明の効果】
以上説明のとおり、本発明の請求項１に係る容器は、開口を有する容器本体と、この容器本体に取り付けられ、前記開口を閉塞する蓋体とを有する容器において、容器本体及び／又は蓋体の装飾的なデザインの内容を施すための部分が交換可能になっている。
【００４９】
このように構成された請求項１の容器による場合、容器本体及び／又は蓋体の装飾的なデザインの内容が施された部分が交換可能になっているので、容器本体及び／又は蓋体の装飾的なデザインの内容を変更することができる。よって、使用者は容器の装飾的なデザインの内容に飽きたとしても買い換える必要はない。
【００５０】
本発明の請求項２に係る容器は、請求項１記載の容器において、交換可能な部分は、容器本体の外表面及び／又は蓋体の表面の少なくとも一部をなすシート部材及び／又はパーツ部材である。
【００５１】
このように構成された請求項２の容器による場合、容器本体の外表面及び／又は蓋体の表面の装飾的なデザインの内容を変更することができる。
【００５２】
本発明の請求項３に係る容器は、請求項２記載の容器において、前記シート部材及び／又はパーツ部材の裏面が装飾的なデザインの内容が施される場となっており、容器本体及び／又は蓋体は、前記シート部材及び／又はパーツ部材の裏面と対向する部分が少なくとも透明になっている。
【００５３】
このように構成された請求項３の容器による場合、前記シート部材及び／又はパーツ部材のデザインの内容が容器本体の内表面及び／又は蓋体の裏面から見ることができる。即ち、容器本体の外表面及び／又は蓋体の表面の装飾的なデザインの内容を変更できるだけでなく、容器本体の内表面及び／又は蓋体の裏面の装飾的なデザインの内容を変更することができる。
【００５４】
本発明の請求項４に係る容器は、請求項２又は３記載の容器において、パーツ部材と容器本体の外表面及び／又は蓋体の表面との間には写真又はこれに類するシートを入れるための隙間が設けられており、少なくとも前記パーツ部材の一部が前記隙間に入れられたシートが見えるように透明にされている。
【００５５】
このように構成された請求項４の容器による場合、使用者は前記隙間に好みのシートを入れることができる。しかも、少なくとも前記パーツ部材の一部が前記隙間に入れられたシートが見えるように透明にされているので、容器本体の外表面及び／又は蓋体の表面の装飾的なデザインの内容を自由に変更することができる。
【００５６】
本発明の請求項５に係る容器は、請求項１記載の容器において、交換可能な部分は、容器本体の内表面及び／又は蓋体の裏面の少なくとも一部をなすシート部材及び／又はパーツ部材である。
【００５７】
このように構成された請求項５の容器による場合、容器本体の内表面及び／又は蓋体の裏面の装飾的なデザインの内容を変更することができる。
【００５８】
本発明の請求項６に係る容器は、請求項５記載の容器において、前記シート部材及び／又はパーツ部材の表面が装飾的なデザインの内容が施される場となっており、容器本体及び／又は蓋体は、前記シート部材及び／又はパーツ部材の表面と対向する部分が少なくとも透明になっている。
【００５９】
このように構成された請求項６の容器による場合、前記シート部材及び／又はパーツ部材のデザインの内容が容器本体の外表面及び／又は蓋体の表面から見ることができる。即ち、容器本体の内表面及び／又は蓋体の裏面の装飾的なデザインの内容を変更できるだけでなく、容器本体の外表面及び／又は蓋体の表面の装飾的なデザインの内容を変更することができる。
【００６０】
本発明の請求項７に係る容器は、請求項５記載の容器において、前記パーツ部材と容器本体の内表面及び／又は蓋体の裏面との間には写真又はこれに類するシートを入れるための隙間が設けられており、少なくとも容器本体及び／又は蓋体の一部が前記隙間に入れられたシートが見えるように透明にされている。
【００６１】
このように構成された請求項７の容器による場合、使用者は前記隙間に好みのシートを入れることができる。しかも、少なくとも容器本体及び／又は蓋体の一部が前記隙間に入れられたシートが見えるように透明にされているので、容器本体の外表面及び／又は蓋体の表面の装飾的なデザインの内容を自由に変更することができる。
【００６２】
本発明の請求項８に係る容器は、請求項２、３、４、５、６又は７記載の容器において、容器本体及び／又は蓋体が装飾的なデザインの内容を表すための場となっている。
【００６３】
このように構成された請求項８の容器による場合、シート部材及び／又はパーツ部材に施された装飾的なデザインの内容又は前記隙間に入れられたシートと容器本体及び／又は蓋体に施された装飾的なデザインの内容とを組み合わせて様々なデザインを容器に表すことができる。
【図面の簡単な説明】
【図１】本発明の第１の実施の形態に係る容器の図であって、（  ａ）  は概略的平面図、（  ｂ）  は概略的正面図である。
【図２】図１に示す同容器の概略的ａ−ａ断面図である。
【図３】同容器の右半分を断面図で示した概略的右側面図である。
【図４】図１中ｂ部分の概略的拡大図である。
【図５】本発明の第２の実施の形態に係る容器の蓋体の概略的断面図である。
【図６】図５中ｃ部分の概略的拡大図である。
【図７】本発明の第３の実施の形態に係る容器の蓋体の概略的断面図である。
【図８】本発明の第４の実施の形態に係る容器の蓋体の概略的断面図である。
【符号の説明】
Ａ、Ｂ、Ｃ、Ｄ  容器
１０            容器本体
２０            蓋体
３０            パーツ部材
４０            シート部材
【図１】
2005008211.tif 000003
【図２】
2005008211.tif 000004
【図３】
2005008211.tif 000005
【図４】
2005008211.tif 000006
【図５】
2005008211.tif 000007
【図６】
2005008211.tif 000008
【図７】
2005008211.tif 000009
【図８】
2005008211.tif 000010